(57)【特許請求の範囲】
【請求項１】
第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システムであって、
前記第１のネットワーク内に設置されているリソース管理装置が、前記第２の無線基地局における通信品質を測定するための測定内容を含む測定内容情報を前記第２の無線基地局経由で前記無線通信端末に提供できるように構成されており、前記リソース管理装置が前記第２の無線基地局の通信品質を示す通信品質情報を収集する際には、前記測定内容情報に基づく前記通信品質の測定の開始を指示する測定指示情報を前記無線通信端末に送信し、前記測定指示情報を受信した前記無線通信端末が、前記第２の無線基地局経由で取得した前記測定内容情報に基づいて前記通信品質の測定を行うとともに、前記測定の結果を含む前記通信品質情報を前記第１の無線基地局経由で前記リソース管理装置に送信するように構成されている通信システム。
【請求項２】
前記リソース管理装置が、前記測定指示情報を前記第１又は第２の無線基地局経由で前記無線通信端末に提供するように構成されている請求項１に記載の通信システム。
【請求項３】
前記第２の無線基地局が、前記無線通信端末に提供されるべき前記測定内容情報を格納するように構成されているとともに、前記無線通信端末が、前記測定指示情報を受信した場合に前記第２の無線基地局から前記測定内容情報を取得するように構成されている請求項１に記載の通信システム。
【請求項４】
第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システム内の前記第１のネットワーク内に設置されるリソース管理装置であって、
前記第１及び第２の無線基地局の通信品質情報に基づいて無線リソースの管理を行うリソース管理手段と、
前記第２の無線基地局における通信品質を測定するための測定内容を含む測定内容情報を作成する測定内容情報作成手段と、
前記測定内容情報作成手段で作成した前記測定内容情報を前記第２の無線基地局経由で前記無線通信端末に提供する測定内容情報配布手段と、
前記リソース管理部で管理している前記第２の無線基地局の前記通信品質情報の更新を行う場合、前記測定内容情報に基づく前記通信品質の測定の開始を指示する測定指示情報を前記第１の無線基地局経由で前記無線通信端末に送信する測定指示手段と、
前記測定内容情報に基づいて前記無線通信端末によって測定された前記第２の無線基地局の前記通信品質の測定結果を含む前記第２の無線基地局の前記通信品質情報を、前記無線通信端末から前記第１の無線基地局経由で受信する通信品質情報受信手段とを、
有するリソース管理装置。
【請求項５】
前記測定内容情報作成手段が、前記測定内容情報に固有値を挿入するように構成されている請求項４に記載のリソース管理装置。
【請求項６】
第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システム内の前記第１の無線基地局として用いられる無線基地局であって、
前記第１のネットワークへの無線アクセスリンクを提供する接続ポイント機能実現手段と、
リソース管理装置からの指示に基づいて、前記第２の無線基地局における通信品質を測定するための測定内容を含む測定内容情報に基づく前記通信品質の測定の開始を指示する測定指示情報を、前記無線アクセスリンクを介して接続されている前記無線通信端末に送信する測定指示情報送信手段と、
前記第２の無線基地局から前記無線通信端末に提供された前記測定内容情報に基づいて前記無線通信端末によって測定された前記第２の無線基地局の前記通信品質の測定結果を含む通信品質情報を、前記無線通信端末から受信する受信手段とを、
有する無線基地局。
【請求項７】
第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システム内の前記第２の無線基地局として用いられる無線基地局であって、
前記第２のネットワークへの無線アクセスリンクを提供する接続ポイント機能実現手段と、
前記第１のネットワーク内に設置されているリソース管理装置から受信した、前記第２の無線基地局における通信品質を測定するための測定内容を含む測定内容情報を格納する測定内容情報格納手段と、
前記無線アクセスリンクを介して接続されている前記無線通信端末から前記測定内容情報を要求された場合、前記測定内容情報格納手段に格納されている前記測定内容情報を読み出して前記無線通信端末に提供する測定内容情報提供手段とを、
有する無線基地局。
【請求項８】
前記リソース管理装置からの指示に基づいて、前記測定内容情報に基づく前記通信品質の測定の開始を指示する測定指示情報を、前記無線アクセスリンクを介して接続されている前記無線通信端末に送信する測定指示情報送信手段を有する請求項７に記載の無線基地局。
【請求項９】
第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システム内の前記無線通信端末として用いられる無線通信端末であって、
前記第１及び第２の無線基地局のそれぞれに無線アクセスリンクを介して接続可能な無線通信手段と、
前記第２の無線基地局における通信品質を測定するための測定内容を含む測定内容情報に基づく前記通信品質の測定の開始を指示する測定指示情報を前記第１又は第２の無線基地局から受信した場合、前記測定内容情報を取得する測定内容情報取得手段と、
前記測定内容情報取得手段で取得した前記測定内容情報に基づいて、前記第２の無線基地局との間の通信における通信品質の測定を行う測定処理手段と、
前記測定処理手段による前記通信品質の測定結果を含む通信品質情報を前記第１の無線基地局に送信する測定結果情報送信手段とを、
有する無線通信端末であって、
前記測定処理手段における前記通信品質の測定前に前記第２の無線基地局経由で前記測定内容情報を受信し、前記測定内容情報をあらかじめ格納する測定内容情報格納手段を更に有し、
前記測定内容情報取得手段が、前記測定指示情報を受信した場合に前記測定内容情報格納手段から前記測定内容情報を読み出すように構成されている無線通信端末。
【請求項１０】
第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システム内の前記無線通信端末として用いられる無線通信端末であって、
前記第１及び第２の無線基地局のそれぞれに無線アクセスリンクを介して接続可能な無線通信手段と、
前記第２の無線基地局における通信品質を測定するための測定内容を含む測定内容情報に基づく前記通信品質の測定の開始を指示する測定指示情報を前記第１又は第２の無線基地局から受信した場合、前記測定内容情報を取得する測定内容情報取得手段と、
前記測定内容情報取得手段で取得した前記測定内容情報に基づいて、前記第２の無線基地局との間の通信における通信品質の測定を行う測定処理手段と、
前記測定処理手段による前記通信品質の測定結果を含む通信品質情報を前記第１の無線基地局に送信する測定結果情報送信手段とを、
有する無線通信端末であって、
前記測定内容情報取得手段が、前記測定指示情報を受信した場合に前記第２の無線基地局に対して前記測定内容情報を要求し、前記要求に対する応答として前記第２の無線基地局から前記測定内容情報を受信するように構成されている無線通信端末。
【請求項１１】
前記通信品質情報が、前記第１の無線基地局経由で前記第１のネットワーク内のリソース管理装置に伝送されるように構成されている請求項９又は１０に記載の無線通信端末。
【請求項１２】
前記測定結果情報送信手段が、前記測定内容情報内で指定されている前記通信品質情報の通知方法に基づいて、前記通信品質情報の通知を行うように構成されている請求項９又は１０に記載の無線通信端末。
【請求項１３】
前記測定指示情報に含まれている条件を参照し、自身の条件と一致した場合にのみ前記測定処理手段における測定処理を行うように構成されている請求項９又は１０に記載の無線通信端末。
【請求項１４】
前記第１の無線基地局から前記測定指示情報を受信した場合には、前記第１の無線基地局から前記第２の無線基地局に前記無線通信手段の接続を切り替えるように構成されている請求項１３に記載の無線通信端末。
【請求項１５】
前記測定結果情報送信手段が、前記測定内容情報によって指定された固有値を前記通信品質情報に挿入するように構成されている請求項９又は１０に記載の無線通信端末。
【請求項１６】
受信した前記測定指示情報に基づいて、前記測定内容情報格納手段に格納されている前記測定内容情報が、現在行うべき測定処理に関して適切なものか否かを判断する測定内容情報判断手段を有する請求項９に記載の無線通信端末。
【発明の詳細な説明】
【技術分野】
【０００１】
本発明は、無線通信の接続ポイントとして機能する無線基地局の無線通信状況に応じた無線リソース管理が行われる通信システム、リソース管理装置、無線基地局並びに無線通信端末に関する。
【背景技術】
【０００２】
現在、基地局１台あたりが中長距離のサービスエリアを包含するセルラ通信などの無線通信機能や、サービスエリアが比較的短距離な無線ＬＡＮ（Local Area Network）機能などを有し、複数の異種ネットワークに接続可能な無線通信端末が存在している。
【０００３】
このような複数の異種網から構成されるネットワークとして、３ＧＰＰ（Third Generation Partnership Project：第３世代パートナーシッププロジェクト）では、無線ＬＡＮ、セルラネットワーク（３Ｇネットワーク）、ＷｉＭＡＸタイプの無線ワイドエリアネットワーク（ＷＷＡＮ）などの様々な異種ネットワークとの通信機能を有する無線通信端末及び関連する通信技術に関する議論が行われている。特に、このような異種ネットワークにおいて、シームレスなモビリティの実現や、リアルタイムビデオ、ＶｏＩＰ、重要データなどの高いＱｏＳ（Quality of Service：サービス品質）が求められている複数のアプリケーションサービスのサポートなどを目指した議論が行われている。
【０００４】
また、例えば、下記の非特許文献１には、３ＧＰＰにおけるＲＲＭ（Radio Resource Management：無線リソース管理）の技術が開示されている。３ＧＰＰでは、例えば無線基地局で使用されているリソースを監視・管理することが可能であり、これによって、リソースを効率的に使用した通信を実現することが可能となる。
【０００５】
また、下記の特許文献１には、電波強度や無線帯域に基づく測定を行うことでネットワーク品質を常時監視し、ネットワーク品質の状態に応じてハンドオーバ制御を行うモバイルノードが開示されている。
【特許文献１】再公表特許  ＷＯ２００４／０５７９０３
【非特許文献１】“3rd Generation Partnership Project; Technical Specification Group Radio Access Network; Terminal conformance specification; Radio transmission and reception (FDD) (Release 6)", 3GPP TS 34.121 v6.3.0, December 2005
【０００６】
３ＧＰＰによれば、異種ネットワークを統合的に管理することが可能であり、例えば、３Ｇネットワークの管理者が、さらに無線ＬＡＮを管理し、３Ｇネットワーク及び無線ＬＡＮを組み合わせた異種ネットワークを用いて、無線通信端末に対して接続ポイントを提供するサービスを行うことが可能である。
【０００７】
例えば、図７に図示されているように、３Ｇネットワーク１００のＰＤＮＧＷ（Packet Data Network Gateway）１３０には、無線ＬＡＮ２００のＰＤＧ（Packet Data Gateway）２１０が接続されており、３Ｇネットワーク１００は無線ＬＡＮ２００と信頼関係を有している。
【０００８】
また、３Ｇネットワーク１００は、無線通信端末（以下、ＵＥと記載）３１０に対する接続ポイントとなるｅＮＢ（evolved Node B）１５０（図７では１台のみ図示）を有しており、無線ＬＡＮ２００は、ＵＥ３１０に対する接続ポイントとなるＡＰ（図７ではＡＰ＿ａ２３０ａ、ＡＰ＿ｂ２３０ｂ、ＡＰ＿ｃ２３０ｃの３台が図示：以下、ＡＰ２３０と記載することもある）を有している。また、ＵＥ３１０は、例えば、３ＧネットワークのｅＮＢ１５０に接続可能な３Ｇネットワークインタフェースと、無線ＬＡＮ２００のＡＰ２３０に接続可能な無線ＬＡＮインタフェースの両方を有している。
【０００９】
なお、通常、ｅＮＢ１５０の通信エリア（セル）１６０はＡＰ２３０の通信エリア２４０ａ、２４０ｂ、２４０ｃ（以下、複数の通信エリアをまとめて通信エリア２４０と記載することもある）より広域である。また、ｅＮＢ１５０の通信エリア１６０とＡＰ２３０の通信エリア２４０とはオーバラップするように配置されている。
【００１０】
また、３Ｇネットワーク１００に存在する無線リソース管理エンティティ（以下、単にＲＲＭと記載）１１０は、ｅＮＢ１５０の無線リソースを監視・把握し、適切かつ効率的なリソースの使用が実現されるようにリソースの管理を行うことが可能な通信装置（若しくは装置内の一機能エンティティ）である。３Ｇネットワーク１００が、その管理下に無線ＬＡＮ２００を接続している場合には、ＲＲＭ１１０が、ｅＮＢ１５０と同様にネットワーク接続ポイントとして機能するＡＰ２３０の無線リソースの管理を行えるようにすることが望ましい場合がある。
【００１１】
この場合、例えば図８に図示されているような下記の動作が行われることによって、各ＵＥ３１０は、それぞれが接続されているＡＰ２３０に関する無線通信状況を計測してＲＲＭ１１０に報告することで、ＲＲＭ１１０は各ＡＰ２３０の無線リソースの使用状況を把握することが可能となる。ただし、ＲＲＭ１１０は、必ずしも特定のＵＥ３１０を選別して指示するわけではない。例えば、無線通信状況の計測に適したＵＥ３１０が各ＡＰ２３０によって選ばれたり、単にすべての指示可能なＵＥ３１０に対して指示が行われたりする。また、ＵＥ３１０も報告の指示を受けて動作するのみで、必ずしもＲＲＭ１１０がその指示の送信主／報告先であることを知っているとは限らない。
【００１２】
図８において、ＲＲＭ１１０は、通信品質情報（ＡＰ２３０との間の無線通信状況）を報告するように指示する情報（品質報告指示情報）を送信する（ステップＳ１００１）。これは、最終的にＵＥ３１０への品質報告指示として通知される（図面では、１つのＵＥ３１０のみが図示されているが、複数のＵＥ３１０に対して通知が行われてもよい）。品質報告指示情報には、ＡＰ２３０との間の無線通信状況の測定を行ってその測定結果を報告するよう指示する情報と共に、具体的に測定すべき内容（測定項目）が含まれており、ＲＲＭ１１０からＰＤＮＧＷ１３０、ＰＤＧ２１０、ＵＥ３１０が接続されているＡＰ２３０を経由してＵＥ３１０に届けられる（ステップＳ１００３、Ｓ１００５、Ｓ１００７）。
【００１３】
ＵＥ３１０は、品質報告指示情報に含まれる測定内容に従って測定処理を行い（ステップＳ１００９）、その測定結果を含む測定結果情報をＡＰ２３０経由でＲＲＭ１１０に送信する（ステップＳ１０１１）。測定結果情報はＵＥ３１０から、ＵＥが接続されているＡＰ２３０、ＰＤＧ２１０、ＰＤＮＧＷ１３０を経由してＲＲＭ１１０に届けられる（ステップＳ１０１３、Ｓ１０１５、Ｓ１０１７）。ＲＲＭ１１０は、この測定結果情報からＡＰ２３０の現在の通信品質を把握し、ＡＰ２３０のリソース調整を行うことが可能となる。また、ＲＲＭ１１０がｅＮＢ１５０の無線リソースを収集する場合には、同様にｅＮＢ１５０経由で、品質報告指示情報及び測定結果情報の送受信が行われる。
【発明の開示】
【発明が解決しようとする課題】
【００１４】
しかしながら、図８に図示されているような動作によって、ＲＲＭ１１０がＡＰ２３０の無線リソースの管理を行う場合、いくつかの問題点が存在する。
【００１５】
例えば、ｅＮＢ１５０やＡＰ２３０の無線通信状況は時々刻々と変化するため、ＲＲＭ１１０は、こうした無線通信状況を含む通信品質情報を、迅速かつ安定して収集する必要がある。しかしながら、ＡＰ２３０の通信品質情報の収集においては、図８に図示されているように品質報告指示情報及び測定結果情報が、無線ＬＡＮ２００で伝送されることになる。無線ＬＡＮ２００は、ベストエフォート型サービスが提供されることが主流であり、ＡＰ２３０の通信品質情報の迅速な収集が困難である（特に、測定結果情報の伝送の即応性に欠ける）という課題がある。
【００１６】
一方、ｅＮＢ１５０からＡＰ２３０に関する品質報告指示情報を報知することも可能である。しかしながら、ＡＰ２３０の通信エリアに対してｅＮＢ１５０の通信エリアは非常に広範囲に及ぶため、ある特定のＡＰ２３０の通信品質情報を把握するためにｅＮＢ１５０から広範囲にわたる品質報告指示情報を報知することは、ｅＮＢ１５０の報知リソースを無駄に使用することになる。すなわち、狭範囲でのみ有用な情報を報知するために広範囲の報知リソースを使用することは望ましくないという課題がある。
【００１７】
本発明は、上記の課題を解決するため、無線リソースの管理において、即応性に優れた通信品質情報の収集が効率良く行われるようにするための通信システム、リソース管理装置、無線基地局並びに無線通信端末を提供することを目的とする。
【課題を解決するための手段】
【００１８】
上記の目的を達成するため、本発明の通信システムは、第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システムであって、
前記第１のネットワーク内に設置されているリソース管理装置が、前記第２の無線基地局における通信品質を測定するための測定内容を含む測定内容情報を前記第２の無線基地局経由で前記無線通信端末に提供できるように構成されており、前記リソース管理装置が前記第２の無線基地局の通信品質を示す通信品質情報を収集する際には、前記測定内容情報に基づく前記通信品質の測定の開始を指示する測定指示情報を前記無線通信端末に送信し、前記測定指示情報を受信した前記無線通信端末が、前記第２の無線基地局経由で取得した前記測定内容情報に基づいて前記通信品質の測定を行うとともに、前記測定の結果を含む前記通信品質情報を前記第１の無線基地局経由で前記リソース管理装置に送信するように構成されている。
この構成により、無線リソースの管理において、即応性に優れた通信品質情報の収集が効率良く行われるようになる。
【００１９】
さらに、本発明の通信システムは、上記の構成に加えて、前記リソース管理装置が、前記測定指示情報を前記第１又は第２の無線基地局経由で前記無線通信端末に提供するように構成されている。
この構成により、無線通信端末に対して通信品質の測定及び報告の開始を指示することが可能となる。
【００２０】
さらに、本発明の通信システムは、上記の構成に加えて、前記第２の無線基地局が、前記無線通信端末に提供されるべき前記測定内容情報を格納するように構成されているとともに、前記無線通信端末が、前記測定指示情報を受信した場合に前記第２の無線基地局から前記測定内容情報を取得するように構成されている。
この構成により、無線リソースの管理において、即応性に優れた通信品質情報の収集が効率良く行われるようになる。
【００２１】
また、上記の目的を達成するため、本発明のリソース管理装置は、第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システム内の前記第１のネットワーク内に設置されるリソース管理装置であって、
前記第１及び第２の無線基地局の通信品質情報に基づいて無線リソースの管理を行うリソース管理手段と、
前記第２の無線基地局における通信品質を測定するための測定内容を含む測定内容情報を作成する測定内容情報作成手段と、
前記測定内容情報作成手段で作成した前記測定内容情報を前記第２の無線基地局経由で前記無線通信端末に提供する測定内容情報配布手段と、
前記リソース管理部で管理している前記第２の無線基地局の前記通信品質情報の更新を行う場合、前記測定内容情報に基づく前記通信品質の測定の開始を指示する測定指示情報を前記第１の無線基地局経由で前記無線通信端末に送信する測定指示手段と、
前記測定内容情報に基づいて前記無線通信端末によって測定された前記第２の無線基地局の前記通信品質の測定結果を含む前記第２の無線基地局の前記通信品質情報を、前記無線通信端末から前記第１の無線基地局経由で受信する通信品質情報受信手段とを、
有する。
この構成により、無線リソースの管理において、即応性に優れた通信品質情報の収集が効率良く行われるようになる。
【００２２】
さらに、本発明のリソース管理装置は、上記の構成に加えて、前記測定内容情報作成手段が、前記測定内容情報に固有値を挿入するように構成されている。
この構成により、測定内容情報を特定するための固有値（例えば、測定内容情報の識別情報）を設定することが可能となる。
【００２３】
また、上記の目的を達成するため、本発明の無線基地局は、第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システム内の前記第１の無線基地局として用いられる無線基地局であって、
前記第１のネットワークへの無線アクセスリンクを提供する接続ポイント機能実現手段と、
リソース管理装置からの指示に基づいて、前記第２の無線基地局における通信品質を測定するための測定内容を含む測定内容情報に基づく前記通信品質の測定の開始を指示する測定指示情報を、前記無線アクセスリンクを介して接続されている前記無線通信端末に送信する測定指示情報送信手段と、
前記第２の無線基地局から前記無線通信端末に提供された前記測定内容情報に基づいて前記無線通信端末によって測定された前記第２の無線基地局の前記通信品質の測定結果を含む通信品質情報を、前記無線通信端末から受信する受信手段とを有する。
この構成により、無線通信端末に対して通信品質の測定及び報告の開始を指示することが可能となり、無線リソースの管理において、即応性に優れた通信品質情報の収集が効率良く行われるようになる。
【００２４】
また、上記の目的を達成するため、本発明の無線基地局は、第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システム内の前記第２の無線基地局として用いられる無線基地局であって、
前記第２のネットワークへの無線アクセスリンクを提供する接続ポイント機能実現手段と、
前記第１のネットワーク内に設置されているリソース管理装置から受信した、前記第２の無線基地局における通信品質を測定するための測定内容を含む測定内容情報を格納する測定内容情報格納手段と、
前記無線アクセスリンクを介して接続されている前記無線通信端末から前記測定内容情報を要求された場合、前記測定内容情報格納手段に格納されている前記測定内容情報を読み出して前記無線通信端末に提供する測定内容情報提供手段とを、
有する。
この構成により、無線リソースの管理において、即応性に優れた通信品質情報の収集が効率良く行われるようになる。
【００２５】
さらに、本発明の無線基地局は、上記の構成に加えて、前記リソース管理装置からの指示に基づいて、前記測定内容情報に基づく前記通信品質の測定の開始を指示する測定指示情報を、前記無線アクセスリンクを介して接続されている前記無線通信端末に送信する測定指示情報送信手段を有する。
この構成により、無線通信端末に対して通信品質の測定及び報告の開始を指示することが可能となる。
【００２７】
また、上記の目的を達成するため、本発明の無線通信端末は、第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システム内の前記無線通信端末として用いられる無線通信端末であって、
前記第１及び第２の無線基地局のそれぞれに無線アクセスリンクを介して接続可能な無線通信手段と、
前記第２の無線基地局における通信品質を測定するための測定内容を含む測定内容情報に基づく前記通信品質の測定の開始を指示する測定指示情報を前記第１又は第２の無線基地局から受信した場合、前記測定内容情報を取得する測定内容情報取得手段と、
前記測定内容情報取得手段で取得した前記測定内容情報に基づいて、前記第２の無線基地局との間の通信における通信品質の測定を行う測定処理手段と、
前記測定処理手段による前記通信品質の測定結果を含む通信品質情報を前記第１の無線基地局に送信する測定結果情報送信手段とを、
有する無線通信端末であって、
前記測定処理手段における前記通信品質の測定前に前記第２の無線基地局経由で前記測定内容情報を受信し、前記測定内容情報をあらかじめ格納する測定内容情報格納手段を有し、
前記測定内容情報取得手段が、前記測定指示情報を受信した場合に前記測定内容情報格納手段から前記測定内容情報を読み出すように構成されている。
この構成により、無線リソースの管理において、即応性に優れた通信品質情報の収集が効率良く行われるようになる。
【００２８】
また、上記の目的を達成するため、本発明の無線通信端末は、第１の無線通信方式を利用して第１の無線基地局から第１の通信エリア内の無線通信端末に無線アクセスリンクを提供する第１のネットワークと、第２の無線通信方式を利用して第２の無線基地局から前記第１の通信エリアとオーバラップする第２の通信エリア内の無線通信端末に無線アクセスリンクを提供する第２のネットワークとが相互接続されている通信システム内の前記無線通信端末として用いられる無線通信端末であって、
前記第１及び第２の無線基地局のそれぞれに無線アクセスリンクを介して接続可能な無線通信手段と、
前記第２の無線基地局における通信品質を測定するための測定内容を含む測定内容情報に基づく前記通信品質の測定の開始を指示する測定指示情報を前記第１又は第２の無線基地局から受信した場合、前記測定内容情報を取得する測定内容情報取得手段と、
前記測定内容情報取得手段で取得した前記測定内容情報に基づいて、前記第２の無線基地局との間の通信における通信品質の測定を行う測定処理手段と、
前記測定処理手段による前記通信品質の測定結果を含む通信品質情報を前記第１の無線基地局に送信する測定結果情報送信手段とを、
有する無線通信端末であって、
前記測定内容情報取得手段が、前記測定指示情報を受信した場合に前記第２の無線基地局に対して前記測定内容情報を要求し、前記要求に対する応答として前記第２の無線基地局から前記測定内容情報を受信するように構成されている。
この構成により、無線リソースの管理において、即応性に優れた通信品質情報の収集が効率良く行われるようになる。
【００２９】
さらに、本発明の無線通信端末は、上記の構成に加えて、前記通信品質情報が、前記第１の無線基地局経由で前記第１のネットワーク内のリソース管理装置に伝送されるように構成されている。
この構成により、無線リソースの管理において、即応性に優れた通信品質情報の収集が効率良く行われるようになる。
【００３０】
さらに、本発明の無線通信端末は、上記の構成に加えて、前記測定結果情報送信手段が、前記測定内容情報内で指定されている前記通信品質情報の通知方法に基づいて、前記通信品質情報の通知を行うように構成されている。
この構成により、適切な通知方法によって、通信品質情報の通知が行われるようになる。
【００３１】
さらに、本発明の無線通信端末は、上記の構成に加えて、前記測定指示情報に含まれている条件を参照し、自身の条件と一致した場合にのみ前記測定処理手段における測定処理を行うように構成されている。
この構成により、特定の無線通信端末を対象とした通信品質情報の収集を実現することが可能となる。
【００３２】
さらに、本発明の無線通信端末は、上記の構成に加えて、前記第１の無線基地局から前記測定指示情報を受信した場合には、前記第１の無線基地局から前記第２の無線基地局に前記無線通信手段の接続を切り替えるように構成されている。
この構成により、例えば、１つの無線通信インタフェースを切り換えて異種ネットワークに接続する無線通信端末から、通信品質情報の収集が効率良く行われるようになる。
【００３３】
さらに、本発明の無線通信端末は、上記の構成に加えて、前記測定結果情報送信手段が、前記測定内容情報によって指定された固有値を前記通信品質情報に挿入するように構成されている。
この構成により、通信品質情報と、その通信品質情報の作成において参照された測定内容情報との対応を容易に特定することが可能となる。
【００３４】
さらに、本発明の無線通信端末は、上記の構成に加えて、受信した前記測定指示情報に基づいて、前記測定内容情報格納手段に格納されている前記測定内容情報が、現在行うべき測定処理に関して適切なものか否かを判断する測定内容情報判断手段を有する。
この構成により、適切な測定内容情報（例えば、最新の測定内容情報）か否かを判断することが可能となる。
【発明の効果】
【００３５】
本発明は、上記の構成を有しており、無線リソースの管理において、即応性に優れた通信品質情報の収集が効率良く行われるようになるという効果を有している。
【発明を実施するための最良の形態】
【００３６】
以下、図面を参照しながら、本発明の実施の形態について説明する。
【００３７】
まず、図１を参照しながら、本発明の基本的な概念について説明する。図１は、本発明の実施の形態におけるシステム構成の一例と、測定内容情報及び測定結果情報の経路の一例を示す図である。
【００３８】
図１に図示されているシステム構成は、基本的に、上述の図７に図示されているシステム構成と同一である。すなわち、図７と同様に図１においても、３Ｇネットワーク１００には、ＲＲＭ１１０、ＰＤＮＧＷ１３０、ｅＮＢ１５０が存在しており、無線ＬＡＮ（無線ＬＡＮ接続可能なＬＡＮ）２００には、ＰＤＧ２１０、複数のＡＰ２３０（ＡＰ＿ａ２３０ａ、ＡＰ＿ｂ２３０ｂ、ＡＰ＿ｃ２３０ｃ）が存在している。そして、無線ＬＡＮ２００は、３Ｇネットワーク１００の管理者の管理下にあり、ＰＤＧ２１０がＰＤＮＧＷ１３０に接続されている。また、ｅＮＢ１５０は、ＵＥ３１０に対して３Ｇネットワーク１００への接続ポイントとして機能し、ＡＰ２３０は、ＵＥ３１０に対して無線ＬＡＮ２００への接続ポイントとして機能する。なお、通常、ｅＮＢ１５０の通信エリア１６０はＡＰ２３０の通信エリア２４０ａ、２４０ｂ、２４０ｃより広域である。また、ｅＮＢ１５０の通信エリア１６０とＡＰ２３０の通信エリア２４０とはオーバラップしている。また、ＵＥ３１０は、ｅＮＢ１５０及びＡＰ２３０の両方に接続することが可能なように構成されており、例えば、３Ｇネットワークインタフェース及び無線ＬＡＮインタフェースの両方を備えている。
【００３９】
本発明では、ＲＲＭ１１０からＵＥ３１０に対して、ＵＥ３１０で測定すべき内容（測定項目）を指定する測定内容情報がＡＰ２３０経由でＵＥ３１０に提供されるようにすることが可能である。なお、図１には、測定内容情報の流れが実線の矢印によって表されている。これにより、ＲＲＭ１１０は、各ＡＰ２３０単位で通信品質情報（各ＡＰ２３０における無線通信状況）を収集する（すなわち、特定のＡＰ２３０の配下に存在するＵＥ３１０に測定処理を行わせて、その測定結果を報告させる）ことが可能となる。なお、ＲＲＭ１１０はあらかじめＵＥ３１０を選定しているわけではなく、ＡＰ２３０若しくはｅＮＢ１５０から見て結果的に該当したということもあるが、以降の説明では、この不確定な要素の説明を簡略化し、ＲＲＭ１１０から、（何らかの手順により結果的に選ばれた）ＵＥ３１０に対して通信の流れがあるように表記する。すなわち、ＲＲＭ１１０とＵＥ３１０との間の情報のやり取りにおいては、ＡＰ２３０やｅＮＢ１５０などの中継装置が仲介し、ＲＲＭ１１０は測定結果の報告を行わせるＵＥ３１０の選別や指定を行う必要はなく、また、ＵＥ３１０は、ＲＲＭ１１０からの報告の指示であることを把握する必要はない。
【００４０】
測定内容情報に含まれている測定すべき内容（測定項目）としては、ＲＲＭ１１０が収集したい情報に応じて様々な測定項目の設定を行うことが可能である。測定内容情報には、例えば、測定内容情報のＩＤ情報や、受信電力、エラーレート、混み具合（フレームの伝送数や衝突率など）スループット、ＱｏＳの提供具合、ＲＣＨ（ランダムチャンネル）でのフレーム衝突率などの各測定項目や、測定結果情報の返信方法（ＲＲＭあて又はＲＲＣメッセージによるｅＮＢあてなど）の各種情報が含まれる。
【００４１】
また、ＵＥ３１０が測定内容情報に従った測定処理を行った場合には、その測定結果を含む測定結果情報がＵＥ３１０からｅＮＢ１５０経由でＲＲＭ１１０に送信される。なお、図１には、測定結果情報の流れが点線の矢印によって表されている。これにより、ＲＲＭ１１０は、ベストエフォート型のパケット伝送方式を有する無線ＬＡＮ経由で測定結果情報を収集する場合に比べて、より即応性及び安定性の高い測定結果の収集を行うことが可能となる。
【００４２】
図１に図示されているような測定内容情報や測定結果情報の伝送経路を実現する方法は複数存在するが、以下では、本発明に係る好適な実現方法として、ＵＥ３１０が、ｅＮＢ１５０からトリガ情報を受信すると、ＡＰ２３０に格納されている測定内容情報を読み出して測定処理を行い、その測定結果情報をｅＮＢ１５０経由でＲＲＭ１１０に報告する方法について説明する。
【００４３】
図２は、本発明の実施の形態における好適な動作の一例を示すシーケンスチャートである。なお、図２に図示されている好適な動作の一例は、図１に図示されているシステム構成に基づいて記載されている。図２に図示されている好適な動作の一例は、測定内容配布処理（図２の上段に図示されている処理）と情報収集処理（図２の下段に図示されている処理）に大別される。
【００４４】
図２の上段に図示されている測定内容配布処理では、ＲＲＭ１１０が事前に測定内容情報を各ＡＰ２３０に配布しておく処理が行われる。ＲＲＭ１１０は、あるＡＰ２３０（例えばＡＰ＿ａ２３０ａ）において収集した無線通信状況の内容を決定すると、そのＡＰ＿ａ２３０ａに向けて、無線通信状況の測定項目を含む測定内容情報を送信する（ステップＳ５０１）。ＲＲＭ１１０から送信された測定内容情報は、ＰＤＮＧＷ１３０、ＰＤＧ２１０を経由して、ＡＰ＿ａ２３０ａに到達する（ステップＳ５０３、Ｓ５０５）。ＡＰ＿ａ２３０ａは、測定内容情報を受信すると、その測定内容情報を格納する（ステップＳ５０７）。
【００４５】
なお、ＲＲＭ１１０は、例えば各ＡＰ２３０に対して個別に、測定内容の決定及び測定内容情報の配布を行うことが可能である。すなわち、例えば、上記のＡＰ＿ａ２３０ａとは異なるＡＰ２３０（例えば、ＡＰ＿ｂ２３０ｂ）に対しても同様に、そのＡＰ＿ｂ２３０ｂに関するリソース測定の内容を決定し、決定された測定内容を含む測定内容情報をＡＰ＿ｂ２３０ｂに送信する（ステップＳ５１１、Ｓ５１３、Ｓ５１５）。ＡＰ＿ｂ２３０ｂは、受信した測定内容情報を格納する（ステップＳ５１７）。
【００４６】
なお、測定内容配布処理は、上述のように各ＡＰ２３０に対して個別に測定内容情報の配布が行われてもよいが、無線ＬＡＮ２００内の複数のＡＰ２３０（あるいは、すべてのＡＰ２３０）に対していっせいに測定内容情報が配布され、複数のＡＰ２３０で共通の測定内容情報が格納されるようにしてもよい。また、測定内容配布処理が行われるタイミングは任意であり、ＲＲＭ１１０は、測定内容配布処理を随時行うことが可能である。
【００４７】
一方、図２の下段に図示されている情報収集処理では、ＵＥ３１０が、測定内容配布処理でＡＰ２３０に格納されている測定内容情報を取得に基づいて測定処理を行い、その測定結果を含む測定結果情報をｅＮＢ１５０経由で通知する処理が行われる。ＲＲＭ１１０は、ＡＰ２３０の通信品質情報（ＡＰ２３０における無線通信状況）を収集する旨を決定すると、測定の開始を示すトリガ送信指示情報（トリガ情報の送信をｅＮＢ１５０に依頼するための情報）をｅＮＢ１５０に送信する（ステップＳ５２１）。ｅＮＢ１５０は、ＲＲＭ１１０からのトリガ送信指示情報を受信すると、通信エリア１６０に存在するＵＥ３１０に対して、測定内容情報に基づく測定を行ってその測定結果を報告するよう指示するトリガ情報を送信する（ステップＳ５２３）。
【００４８】
なお、ｅＮＢ１５０によるトリガ情報の送信方法としては、いくつかの方法が考えられる。例えば、ｅＮＢ１５０に接続されている通信エリア１６０内のすべてのＵＥ３１０に対してトリガ情報を送信し、すべてのＵＥ３１０に測定処理及び測定結果の報告を行わせるようにすることが可能である。また、この場合、例えば、測定内容情報を配布するＡＰ２３０を限定することで、特定のＡＰ２３０の配下に接続されているＵＥ３１０のみが測定内容情報を取得可能となり、特定のＡＰ２３０の配下に接続されているＵＥ３１０のみに測定処理及び測定結果の報告を行わせることが可能となる。
【００４９】
ｅＮＢ１５０から送信された送信開始指示情報を受信したＵＥ３１０は、無線ＬＡＮインタフェースを通じて接続されているＡＰ２３０（例えばＡＰ＿ａ２３０ａ）に対して測定内容情報を要求する（ステップＳ５２５）。ＡＰ＿ａ２３０ａは、ＵＥ３１０からの測定内容情報の要求に応じて、格納されている測定内容情報（ステップＳ５０７で格納された測定内容情報）をＵＥ３１０に提供する（ステップＳ５２７）。そして、ＵＥ３１０は、ＡＰ＿ａ２３０ａから取得した測定内容情報に基づいて測定処理を行い（ステップＳ５２９）、その測定結果を測定結果情報としてｅＮＢ１５０経由でＲＲＭ１１０に送信する（ステップＳ５３１、Ｓ５３３）。なお、ＵＥ３１０は測定結果情報をＲＲＭ１１０に直接送信してもよく、ｅＮＢ１５０あてに送信してｅＮＢ１５０からＲＲＭ１１０に渡されるようにしてもよい。また、ＵＥ３１０は、測定処理において参照した測定内容情報の識別情報や、接続されているＡＰ２３０（通信品質の測定対象）のＩＤ（ＡＰ＿ＩＤ）などを測定結果情報に挿入することが望ましい。ＲＲＭ１１０は、このようにして収集した各ＡＰ２３０の通信品質情報に基づいて、各ＡＰ２３０におけるリソース管理を行うことが可能である。
【００５０】
なお、ｅＮＢ１５０からＵＥ３１０に対して送信されるトリガ情報は、例えば、あるメッセージ（又はフレーム）に設けられた数ビット（若しくは１ビット）のフラグの値によって実現可能であり、ｅＮＢ１５０の報知リソースの使用を最小限に抑えることが可能となる。すなわち、ＵＥ３１０はｅＮＢ１５０から受信したメッセージのフラグの値を参照し、測定開始を指示する値がフラグにセットされている場合に、ステップＳ５２５以降の処理を開始する。
【００５１】
次に、本発明の実施の形態における好適な動作（図２に図示されているシーケンスチャート）を実現するための各通信装置（ＲＲＭ１１０、ＡＰ２３０、ＵＥ３１０、ｅＮＢ１５０）の構成について説明する。
【００５２】
図３は、本発明の実施の形態におけるＲＲＭの構成の一例を示すブロック図である。図３に図示されているＲＲＭ１１０は、ネットワークインタフェース１１１、測定内容情報の作成を行う測定内容情報作成部１１２、測定内容情報の配布（送信）を行う測定内容情報配布部１１３、リソースの管理（特にＡＰ２３０におけるリソースの管理）を行うリソース管理部１１４、リソース管理部１１４で参照するリソース情報（特にＡＰにおけるリソース情報）の更新を行う旨を決定するリソース情報更新部１１５、リソース情報更新部１１５による決定に基づいてトリガ送信指示情報をｅＮＢ１５０に送信するトリガ送信指示情報送信部１１６を有する。なお、ＲＲＭ１１０は、上述した機能以外の様々な機能（図３には不図示）を有していてもよい。
【００５３】
また、図４は、本発明の実施の形態におけるＡＰの構成の一例を示すブロック図である。図４に図示されているＡＰ２３０は、ネットワーク側に接続するネットワークインタフェースや通信エリア２４０内に存在するＵＥ３１０と無線通信を行うための無線通信インタフェースなどを含む通信インタフェース２３１、通信エリア２４０内に存在するＵＥ３１０を収容・管理したり、ＵＥ３１０から送信されたパケット又はＵＥ３１０あてのパケットを転送したりする機能（従来のＡＰに備わっている機能）を実現するＡＰ機能実現部２３２に加えて、ＲＲＭ１１０から受信した測定内容情報を格納する測定内容情報格納部２３３、ＵＥ３１０からの要求に応じて測定内容情報格納部２３３に格納されている測定内容情報をＵＥ３１０に提供する測定内容情報提供部２３４を有する。なお、ＡＰ２３０は、上述した機能以外の様々な機能（図４には不図示）を有していてもよい。
【００５４】
また、図５Ａは、本発明の実施の形態におけるＵＥの構成の一例を示すブロック図である。図５Ａに図示されているＵＥ３１０は、ネットワークへの接続ポイントを提供するｅＮＢ１５０に接続して通信を行うための３Ｇインタフェースや、ＡＰ２３０に接続して通信を行うための無線ＬＡＮインタフェースなどを含む無線通信インタフェース３１１、無線通信インタフェース３１１の３Ｇインタフェース経由でｅＮＢ１５０からトリガ情報を受信した場合に、無線通信インタフェース３１１の無線ＬＡＮインタフェースを通じて接続しているＡＰ２３０に対して測定内容情報を要求・取得する測定内容情報取得部３１２、測定内容情報取得部３１２がＡＰ２３０から取得した測定内容情報に従って測定処理を行う測定処理部３１３、測定処理部３１３による測定処理の結果を測定結果情報として、ｅＮＢ１５０経由（無線通信インタフェース３１１の３Ｇインタフェース経由）でネットワークに向けて（結果的にＲＲＭ１１０に）送信する測定結果情報送信部３１４を有する。なお、ＵＥ３１０は、上述した機能以外の様々な機能（図５Ａには不図示）を有していてもよい。
【００５５】
なお、測定内容情報取得部３１２は、例えば、測定条件を含む測定内容情報を持っていない場合や持っている測定内容情報が古い場合には、適切な（最新の）測定内容情報を取得することが望ましい。また、測定結果情報送信部３１４は、測定結果情報を作成する際、測定処理を行う際に参照した測定内容情報の識別情報を挿入することが望ましい。また、測定結果情報送信部３１４は、測定内容情報内に測定結果情報の返信方法が指定されている場合には、その返信方法で測定結果情報の報告を行うことが望ましい。
【００５６】
また、図５Ｂは、本発明の実施の形態におけるＵＥの構成の別の一例を示すブロック図である。なお、図５Ｂでは、主に、ＵＥ３１０内におけるデータ系及び制御系の情報の処理及び流れが示されている。図５Ｂに図示されているＵＥ３１０は、表現方法は異なるが、図５Ａに図示されているＵＥ３１０と基本的に同一の構成及び機能を有している。
【００５７】
図５Ｂに図示されているＵＥ３１０は、複数のアクセスネットワークに接続可能な１つ又は複数のインタフェース３２０、ネットワーク側からの指示（測定内容情報）により定められた項目を定められた方法で測定する測定部３３０、インタフェース３２０及び測定部３３０のそれぞれとデータ系バス３４０及び制御系バス３５０のそれぞれを介して接続されている制御部３６０、データ系バス３４０を通じてインタフェース３２０との間でデータのやり取りを行うアプリケーション３９０を有している。なお、インタフェース３２０は、論理的なインタフェースであってもよい。
【００５８】
また、制御部３６０は、ネットワーク側から測定開始の指示（トリガ情報）を受けたことを検出し、このトリガ情報の受信に基づいて測定部３３０による測定を制御する測定指示検出部３７０、本発明に係る方法で測定されたＷＬＡＮ側の情報（例えば、ＡＰ２３０との間の無線通信状況などを示す情報）をｅＮＢ１５０経由で報告するように制御する報告制御部３８０を有している。
【００５９】
ＵＥ３１０の動作は、そのシナリオによって異なるが、例えば、ＵＥ３１０が通信（若しくは通信の待機）を行っているときに、３Ｇネットワーク側の制御メッセージ内にＷＬＡＮの通信品質を測るよう指示する情報（トリガ情報）を検出する。この場合、ＵＥ３１０は、ＷＬＡＮへの接続に係るインタフェースを有効化し、受信した報知情報に基づいて測定条件などのリスト（測定内容情報）を取得する。そして、その測定内容情報内に記載されている測定項目（測定条件）に従って、ＷＬＡＮのインタフェースにおける測定処理を行う。測定結果が集められると、測定条件などのリスト（測定内容情報）に記載されている方法で、その測定条件などのリストの識別情報（測定内容情報の識別情報）を含む報告メッセージ（測定報告情報）を用意し、そのメッセージを３Ｇ側のインタフェースから送信する。
【００６０】
なお、測定条件などのリストがネットワーク側で有意に識別できる場合には、測定条件などのリストの識別情報は不要となり、その代わりにＵＥ３１０の固有識別子が必要となる可能性がある。また、ＵＥ３１０は、ＷＬＡＮ側のインタフェースにおける測定処理を行うために、そのインタフェースを動作させるよう制御しなければならない場合もある。また、ＵＥ３１０は、測定条件などのリストを含む報知情報を単に受動的に受信するのではなく、測定条件などのリストをＡＰ２３０に積極的に要求しなければならない場合もある。
【００６１】
また、ＵＥ３１０は、測定開始の指示を受けた際には既にＡＰ２３０との接続を確立しており、さらに、測定条件などのリストが既に取得済み（例えば、ＵＥ３１０が有する情報格納部に格納された状態）であってもよく、この場合には、取得済みの測定条件などのリストが最新のものであるかどうかを確認しなければならない可能性がある。このように、各シナリオによって異なるＵＥ３１０の種々の動作は、システムとしてあらかじめ規定されていてもよく、その都度何らかの方法でネットワーク側から指示されてもよい。
【００６２】
また、図６は、本発明の実施の形態におけるｅＮＢの構成の一例を示すブロック図である。図６に図示されているｅＮＢ１５０は、ネットワーク側に接続するネットワークインタフェースや通信エリア１６０内に存在するＵＥ３１０と無線通信を行うための無線通信インタフェースなどを含む通信インタフェース１５１、通信エリア１６０内に存在するＵＥ３１０を収容・管理したり、ＵＥ３１０から送信されたパケット又はＵＥ３１０あてのパケットを転送したりする機能（従来のｅＮＢに備わっている機能）を実現するｅＮＢ機能実現部１５２に加えて、ＲＲＭ１１０からトリガ送信指示情報を受信した場合に、無線通信インタフェース１５１を通じて接続しているＵＥ３１０に対してトリガ情報を送信するトリガ情報送信部１５３を有する。なお、ｅＮＢ１５０は、上述した機能以外の様々な機能（図６には不図示）を有していてもよい。
【００６３】
各通信装置（ＲＲＭ１１０、ＡＰ２３０、ＵＥ３１０、ｅＮＢ１５０）がそれぞれ図３〜図６に図示されている構成を有することで、図２に図示されている本発明の実施の形態における好適な動作が実現可能となる。
【００６４】
なお、上述の本発明の実施の形態以外にも、本発明を実現するための様々な実施の形態が存在する。以下、上述の本発明の実施の形態と比較しながら、本発明を実現するための様々な実施の形態について説明する。
【００６５】
上述の実施の形態では、ＵＥ３１０が、ｅＮＢ１５０からトリガ情報を受信した際に、ＡＰ２３０に対して測定内容情報を要求することでＡＰ２３０から測定内容情報を取得しているが、別の実施の形態として、ＵＥ３１０がｅＮＢ１５０からトリガ情報を受信する前に測定内容情報を取得・格納しておいてもよい。例えば、ＡＰ２３０が、収容しているＵＥ３１０（自身の配下に接続されているＵＥ３１０）に対して、自身の測定内容情報格納部に格納している測定内容情報を事前に（例えば、ＵＥ３１０がＡＰ２３０との接続を行った時点で）通知しておいてもよい。これにより、ＵＥ３１０は、ｅＮＢ１５０からのトリガ情報を受信した後、測定内容情報の取得処理（図２のステップＳ５２５、Ｓ５２７）を行うことなく、測定処理及び測定結果情報の報告を行うことが可能となり、ＲＲＭ１１０がトリガ送信指示情報を送出してから測定結果情報を取得するまでの時間が短縮され、即応性が更に向上される。なお、例えば、ＲＲＭ１１０が、ＡＰ２３０に格納しておくべき測定内容情報と、ＡＰ２３０からＵＥ３１０に事前に通知可能な測定内容情報とを明示的に分けてＡＰ２３０に測定内容情報を提供してもよい。これにより、時間的に変更が頻繁に発生するなどの理由でその都度通知しても通信帯域の無駄になるような項目に関しては、ＡＰ２３０に格納しておく一方、指示があると即座に測定開始する必要があるような項目に関しては、ＵＥ３１０に事前に通知しておくというように、情報の格納場所を分けることが可能となる。また、測定内容情報がＡＰ２３０ではなく、他の任意のネットワークノードに格納され、ＵＥ３１０が、このネットワークノードに対して測定内容情報を要求してもよい。
【００６６】
また、上述の実施の形態では、ｅＮＢ１５０によるトリガ情報の送信方法としてｅＮＢ１５０に接続されている通信エリア１６０内のすべてのＵＥ３１０に対してトリガ情報を送信する例を挙げているが、ｅＮＢ１５０は、特定の無線通信チャンネルや制御信号を用いて、特定のＵＥ３１０（若しくはＵＥ３１０のグループ）に対してのみトリガ情報を送信することも可能である。これにより、特定のＵＥ３１０に関してのみ測定処理及び測定結果の報告が行われるようにすることが可能となる。また、トリガ情報にＡＰ２３０のＩＤ（ＡＰ＿ＩＤ）を挿入することで、このＡＰ＿ＩＤによって識別されるＡＰ２３０に接続している（若しくは接続可能な）ＵＥ３１０のみ、このＡＰ２３０における通信品質の測定及び報告を行うようにしてもよい。これにより、ＲＲＭ１１０は、ＡＰ＿ＩＤで指定したＡＰ２３０に関する通信品質情報のみを収集することが可能となる。
【００６７】
また、上述の実施の形態では、ＲＲＭ１１０が各ＡＰ２３０に対して測定内容情報を送信するため、ＲＲＭ１１０は、各ＡＰ２３０に共通（同一）の測定内容情報を各ＡＰ２３０に配布することも可能であり、また、各ＡＰ２３０に対して個別の測定内容情報を各ＡＰ２３０に配布することも可能であるが、さらに、例えば各ＵＥ３１０に個別の測定内容情報をＡＰ２３０に配布することも可能である。この場合、例えば、ＡＰ２３０は、トリガ情報を受信して測定内容情報を要求してきたＵＥ３１０に対して提供すべき測定内容情報を選択し、そのＵＥ３１０に特有の測定内容情報を提供することが可能となり、特定のＵＥ３１０に対してのみ測定内容情報を提供して、特定のＵＥ３１０に関してのみ、測定処理及び測定結果の報告が行われるようにすることが可能となる。
【００６８】
また、ＲＲＭ１１０から配布される複数の測定内容情報のそれぞれに対して識別情報を付加するとともに、ｅＮＢ１５０から送信されるトリガ情報に、複数の測定内容情報のうちのいずれかの測定内容情報を指定する識別情報が挿入されるようにすることによって、ＵＥ３１０に測定処理を行わせて測定結果を報告させる項目を詳細に規定することが可能となる。例えば、ＲＲＭ１１０は、それぞれ異なる測定項目のセットを含む測定内容情報（例えば、Ａ、Ｂ、Ｃ、Ｄの異なる４つの識別情報が付加された測定内容情報）を作成し、これらの測定内容情報をＡＰ＿ａ２３０ａに配布する。そして、ＲＲＭ１１０は、例えば、識別情報「Ｂ」を含むトリガ送信指示情報をｅＮＢ１５０に送信することで、ｅＮＢ１５０から識別情報「Ｂ」を指定するトリガ情報が送信され、ＡＰ＿ａ２３０ａの配下のＵＥ３１０は、ＡＰ＿ａ２３０ａに測定内容情報を要求する際に、トリガ情報に含まれる識別情報「Ｂ」をＡＰ＿ａ２３０ａに渡すことで、ＡＰ＿ａ２３０ａは、識別情報「Ｂ」の測定内容情報をＵＥ３１０に渡し、識別情報「Ｂ」の測定内容情報に従った測定処理及び測定結果の報告がＵＥ３１０からＲＲＭ１１０に通知されるようにすることが可能となる。また、このような識別情報は、単に測定内容情報をＡＰごと、時間ごとなどで区別するために用い、ＵＥ３１０からの報告にどの識別情報を持つ測定内容情報に基づいて報告を行っているかを明記することで、測定結果の分析を容易にすることができる。
【００６９】
また、上述の実施の形態では、通信エリア１６０に存在するＵＥ３１０に対して、ｅＮＢ１５０からトリガ情報が送信されているが、ＡＰ２３０からトリガ情報が送信されるようにしてもよい。また、この場合、例えば、ＲＲＭ１１０は特定のＡＰ２３０（例えば、ＡＰ＿ａ２３０ａ）に対してのみトリガ送信指示情報を送信し、この特定のＡＰ＿ａ２３０ａの通信エリア２４０ａ内でのみトリガ情報が送信されるようにしてもよい。これにより、特定のＡＰ２３０に接続されているＵＥ３１０に関してのみ、測定処理及び測定結果の報告が行われるようにすることが可能となる。さらに、ＡＰ２３０からトリガ情報を送信する際に、ＵＥ３１０に測定内容情報を同時に提供してもよい。これにより、特定のＡＰ２３０の通信エリア２４０に存在するＵＥ３１０に対してのみ、トリガ情報及び測定内容情報が提供され、ＵＥ３１０は、測定内容情報の要求／取得などの処理を行わずに、迅速に測定内容を把握して測定処理を行うことが可能となる。
【００７０】
また、測定内容情報の通知方法も、ＡＰ２３０からの報知情報として報知する方法、個別の接続チャンネルで通知する方法、ＵＥ３１０から要求されてから測定内容情報を通知する方法、ＡＰ２３０が周期的に測定内容情報をＵＥ３１０に通知する方法などを始めとする任意の方法を採用することが可能である。
【００７１】
また、ＵＥ３１０からの測定結果の通知には、ｅＮＢ１５０、ＲＲＭ１１０やその他のネットワークノードをあて先とした通知データパケットが用いられてもよく、特定のレイヤ２メッセージの情報として制御系通信チャンネルを用いて測定結果が伝送されてもよい。
【００７２】
また、システムとして、すべてのＵＥ３１０での測定が必要ではない場合には、測定条件などのリストや測定開始の指示は個別のＵＥ３１０に通知すればよく、また、すべてのＵＥ３１０に対して測定開始の指示を報知するとしても、その測定開始の報知を有効なものとみなして実際に測定及び報告の動作を行うＵＥ３１０を限定するような条件を付加して、測定開始の指示を報知してもよい。例えば、識別子が奇数の値であるＵＥ３１０だけを測定指示の対象としたり、既にＡＰ２３０に接続されているＵＥ３１０や現在待機状態のＵＥ３１０だけを測定指示の対象としたりしてもよい。また、１つの無線部を切り替えて使用しているＵＥ３１０は測定を行わなくてもよいなどの条件を付加してもよい。
【００７３】
また、測定開始の指示がＡＰ２３０から行われる場合は、既にＡＰ２３０に接続しているＵＥ３１０に対してしか測定指示を行うことはできないが、例えば、測定開始のタイミングをＡＰ２３０ごとに異なるように制御することが可能である。
【００７４】
なお、上述の実施の形態を含む本発明の様々な実施の形態を組み合わせて実施することも可能である。
【００７５】
また、上述の実施の形態を含む本発明の様々な実施の形態では、ＵＥ３１０の無線通信インタフェース３１１が複数のインタフェース（例えば３Ｇインタフェース及び無線ＬＡＮインタフェース）によって構成されていることを前提に説明を行っているが、本発明を実施するうえでの論理的なインタフェースが複数あればよい。例えば、１つの無線部を複数の接続方式で共用し、ネットワークインタフェースの観点からはその変化が問題にならない程度の速度で切り替えたり、レイヤ２で論理的なリンクを維持したりすることにより、ネットワーク部からは複数のインタフェースを介してネットワークに接続している場合と同等に動作できるよう構成されていてもよい。また、１つの無線部を複数の接続方式で共用する無線通信端末に対して本発明を適用した場合、無線ＬＡＮ２００側の情報収集（ＡＰ２３０の無線通信状況の報告）の動作が行われる際に無線ＬＡＮ２００だけではなく、測定結果情報の通知の際には３Ｇネットワーク１００側にも接続するため、セルラ側の通信の寸断時間を低減させることが可能となる。
【００７６】
また、本明細書では、ＵＥ３１０が３Ｇネットワーク１００及び無線ＬＡＮ２００に接続可能なように構成されているが、例えば、ＷｉＭＡＸ（ＩＥＥＥ８０２．１６）、３ＧＰＰ２、ＷｉＦｉ（ＩＥＥＥ８０２．１１）やその他の無線通信技術を用いて通信を行うことが可能であり、こうした無線通信技術を利用して、本発明を実現することも可能である。
【００７７】
また、本明細書では、本発明が最も実用的かつ好適な実施例となるように考慮されて図示及び説明されているが、当業者であれば、様々な構成要素に係る設計やパラメータの詳細において、発明の範囲から逸脱しない程度に様々な変更が行われてもよいことは明白である。例えば、本発明は、モバイルノードと通信を行っている任意のノード（例えばホームエージェントやその他のモバイルノード）に適用可能である。さらに、本発明は、モバイルＩＰｖ６を動作させているモバイルホスト及びネットワークモビリティサポートを動作させているモバイルルータのどちらに対しても適用可能である。
【００７８】
また、上記の本発明の実施の形態の説明で用いた各機能ブロックは、典型的には集積回路であるＬＳＩ（Large Scale Integration）として実現される。これらは個別に１チップ化されてもよいし、一部又はすべてを含むように１チップ化されてもよい。なお、ここでは、ＬＳＩとしたが、集積度の違いにより、ＩＣ（Integrated Circuit）、システムＬＳＩ、スーパーＬＳＩ、ウルトラＬＳＩと呼称されることもある。
【００７９】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００８０】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適応などが可能性としてあり得る。
【産業上の利用可能性】
【００８１】
本発明は、無線リソースの管理において、即応性に優れた通信品質情報の収集が効率良く行われるようになるという効果を有しており、無線通信の接続ポイントとして機能する無線基地局の無線通信状況に応じた無線リソース管理に係る技術に適用可能である。
【図面の簡単な説明】
【００８２】
【図１】本発明の実施の形態におけるシステム構成の一例と、測定内容情報及び測定結果情報の経路の一例を示す図
【図２】本発明の実施の形態における好適な動作の一例を示すシーケンスチャート
【図３】本発明の実施の形態におけるＲＲＭの構成の一例を示すブロック図
【図４】本発明の実施の形態におけるＡＰの構成の一例を示すブロック図
【図５Ａ】本発明の実施の形態におけるＵＥの構成の一例を示すブロック図
【図５Ｂ】本発明の実施の形態におけるＵＥの構成の別の一例を示すブロック図
【図６】本発明の実施の形態におけるｅＮＢの構成の一例を示すブロック図
【図７】従来の技術におけるシステム構成の一例を示す図
【図８】従来の技術における動作の一例を示すシーケンスチャート
【図１】
0005383505.tif 000002
【図２】
0005383505.tif 000003
【図３】
0005383505.tif 000004
【図４】
0005383505.tif 000005
【図５Ａ】
0005383505.tif 000006
【図５Ｂ】
0005383505.tif 000007
【図６】
0005383505.tif 000008
【図７】
0005383505.tif 000009
【図８】
0005383505.tif 000010